(57)【要約】【課題】従来と比して格段に秘匿性を向上させて文章を表示し得るようにする。【解決手段】携帯電話機１のＣＰＵ２０は、電子メールの本文を構成する複数の文字のうち、文字明瞭表示ウインドウＷＮＤによって指定されている一部の文字のみを明瞭に表示して残りの文字を隠蔽して表示するようにしたことにより、携帯電話機１を操作しているユーザ以外の他者によって表示部７を見ることが可能な状況においても、当該本文の内容を推測あるいは把握することを極めて困難にする。【選択図】        図１２
2004252773.tif 000002
【特許請求の範囲】
【請求項１】
複数の文字からなる文章を表示する文章表示装置において、
表示手段と、
上記文章における上記複数の文字の中から一部の文字を指定文字として指定する指定手段と、
上記指定文字を上記表示手段に対して表示し、上記文章における当該指定文字以外の文字を指定外文字として全て隠蔽する制御手段と
を具えることを特徴とする文章表示装置。
【請求項２】
上記制御手段は、
上記表示手段の背景色と近似した文字色で上記指定外文字を上記表示手段に対して表示することにより、当該指定外文字を隠蔽する
ことを特徴とする請求項１に記載の文章表示装置。
【請求項３】
上記制御手段は、
複数の上記指定外文字が表す文意と異なる文意を表す文字群を、当該複数の指定外文字と置き換えて上記表示手段に対して表示することにより、上記複数の指定外文字を隠蔽する
ことを特徴とする請求項１に記載の文章表示装置。
【請求項４】
上記指定文字は、文字変換確定前の文字である
ことを特徴とする請求項１に記載の文章表示装置。
【請求項５】
上記指定文字は、所定の操作手段を介して指し示された文字である
ことを特徴とする請求項１に記載の文章表示装置。
【請求項６】
複数の文字からなる文章を表示する文章表示装置の文章表示方法において、
上記文章における上記複数の文字の中から一部の文字を指定文字として指定する指定ステップと、
上記指定文字を所定の表示手段に対して表示し、上記文章における当該指定文字以外の文字を指定外文字として全て隠蔽する制御ステップと
を具えることを特徴とする文章表示装置の文章表示方法。
【発明の詳細な説明】
【０００１】
【発明の属する技術分野】
本発明は文章表示装置に関し、例えば、携帯電話機に適用して好適なものである。
【０００２】
【従来の技術】
近年、携帯電話機は、電子メールの送受信機能を有しており、これによりユーザに対して、例えば電車内で気軽に電子メールを作成させたり、受信済の電子メールを読ませ得るようになされている。
【０００３】
ところで、近年の携帯電話機においては、表示部の性能が格段と向上していることにより、電子メールの文章等がこの表示部に対して明瞭に表示されてしまうので、例えばユーザが混雑した電車内で電子メールの文章を読んでいると、周囲の他者からこの文章が容易に覗き見されてしまいかねず、この結果、当該文章の内容が周囲の他者へ漏洩してしまうのではないかという不安感をユーザに抱かせてしまう問題があった。
【０００４】
このような問題を解決する一手法として、携帯電話機の表示部に対して偏光板を装着することにより当該表示部の視野角を狭めるものが考案されている。（例えば、特許文献１参照）この手法を適用すると、携帯電話機のユーザの両脇にいる他者から表示部に表示中の文章が容易に覗き見されてしまうことを防止し得る。
【０００５】
【特許文献１】
実用新案登録第３０６６１０９号公報（図１、図２）
【０００６】
【発明が解決しようとする課題】
しかしながら、このように携帯電話機の表示部に対して偏光板が装着されたとしても、当該表示部の視野角が狭まるだけなので、ユーザの背後にいる人からは覗き見されることは避けられない。
【０００７】
これにより、このような偏光板が装着されただけの携帯電話機においては、秘匿性が十分高い状態で文章を表示し得るとは言い難く、この結果、ユーザからかかる不安感を完全に拭い去ることができなかった。
【０００８】
本発明は以上の点を考慮してなされたもので、従来と比して格段に秘匿性を向上させて文章を表示し得る文章表示装置を提案しようとするものである。
【０００９】
【課題を解決するための手段】
かかる課題を解決するために本発明においては、複数の文字からなる文章を表示する文章表示装置において、表示手段と、文章における複数の文字の中から一部の文字を指定文字として指定する指定手段と、指定文字を表示手段に対して表示し、文章における当該指定文字以外の文字を指定外文字として全て隠蔽する制御手段とを設けるようにした。
【００１０】
文章を構成する複数の文字のうち一部の文字を除く全ての文字を隠蔽するようにしたことにより、当該文章全体の内容が容易に把握されてしまうことを防止することができる。
【００１１】
【発明の実施の形態】
以下図面について、本発明の一実施の形態を詳述する。
【００１２】
（１）携帯電話機の構成
図１において、１は全体として携帯電話機を示し、上側筐体２と下側筐体３とがヒンジ部４を介して折り畳み可能に構成されている。
【００１３】
上側筐体２において、その背面の上端右側には、送受信用のアンテナ５が引出及び収容可能な状態で取り付けられており、正面上端部には、スピーカ６が設けられており、正面中央部には、液晶ディスプレイ等でなる表示部７が設けられている。
【００１４】
下側筐体３において、その表面中央部には、「０」〜「９」、「＃」及び「＊」キー等からなるテンキー８が設けられており、表面下端部には、ユーザの音声等を集音するためのマイクロホン９が設けられている。
【００１５】
また、下側筐体３において、その表面上端部には、上下方向に回転操作が可能且つ押圧操作が可能なジョグダイヤル１０が設けられており、当該ジョグダイヤル１０の両側には、左方向を指定するための左方向キー１１及び右方向を指定するための右方向キー１２が設けられている。
【００１６】
次に、携帯電話機１の回路構成について図２を用いて説明する。携帯電話機１は、当該携帯電話機１全体を統括的に制御するＣＰＵ（Ｃｅｎｔｒａｌ  Ｐｒｏｃｅｓｓｉｎｇ  Ｕｎｉｔ）２０に対し、制御ライン２１を介してＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、アンテナ５を介して無線通信を行うための通信処理部２４、電子メール処理部２５、テンキー８やジョグダイヤル１０や左方向キー１１や右方向キー１２等からなる操作部２６及び表示部７が接続されて構成されている。また、ＣＰＵ２０、ＲＯＭ２２、ＲＡＭ２３、通信処理部２４、電子メール処理部２５、表示部７、スピーカ６及びマイクロホン９はデータライン２７を介して互いに接続されている。
【００１７】
ＲＯＭ２２には、基本プログラム等の各種プログラムが予め格納されている。ＣＰＵ２０は、ＲＯＭ２２に格納されたこれら各種プログラムを適宜読み出し、これをＲＡＭ２３に展開して実行することにより、携帯電話機１の各回路部を制御して各種処理を実行するようになされている。
【００１８】
また、電子メール処理部２５はＣＰＵ２０からの命令に応じて、電子メールの送受信を行うための電子メール送受信処理、他のユーザに送信する電子メールを作成するための電子メール作成処理（後述する）、他のユーザから受信した電子メール（以下、これを受信メールとも呼ぶ）の内容を表示部７に表示するための受信メール表示処理（後述する）等を実行するようになされている。
【００１９】
（２）電子メール作成処理
ＣＰＵ２０は、例えばユーザによって操作部２６を介して電子メールの作成を開始するための所定操作が行われると、電子メール処理部２５を制御して電子メール作成処理を実行するようになされている。すなわちＣＰＵ２０は、例えば図３に示す電子メール作成処理手順ＲＴ１の開始ステップから入ってステップＳＰ１へ移る。
【００２０】
ステップＳＰ１においてＣＰＵ２０は、例えば、ユーザによって操作部２６を介して送信先の電子メールアドレスや電子メールの件名等が入力された後、電子メールの本文の入力を開始するための所定操作が行われると、例えば図４（Ａ）に示すようなシークレットモード選択画面５０Ａを表示部７に表示して、ステップＳＰ２へ移る。
【００２１】
ステップＳＰ２においてＣＰＵ２０は、ユーザによって操作部２６を介してシークレットモード選択画面５０Ａ中の選択カーソル５１が操作されることにより、当該選択カーソル５１によって選択項目「ＹＥＳ」が選択決定されたか否かを判断する。
【００２２】
このステップＳＰ２において否定結果が得られると、例えば、このことはユーザによってシークレットモード選択画面５０Ａ中の選択項目「ＮＯ」が選択決定された、すなわち秘匿性の高い状態で電子メールの本文を作成する意思がユーザに無いことを意味しており、このときＣＰＵ２０は、ステップＳＰ３へ移って通常モードによる本文作成処理を実行することにより、ユーザに対して秘匿性の低い状態で電子メールの本文を入力させる。
【００２３】
これに対してステップＳＰ２において肯定結果が得られると、例えば、このことは秘匿性の高い状態で電子メールの本文を作成する意思がユーザにあることを意味しており、このときＣＰＵ２０は、サブルーチンＳＲＴ１へ移ってシークレットモードによる本文作成処理を実行する。
【００２４】
すなわちＣＰＵ２０は、例えば図５に示すシークレットモードによる本文作成処理手順ＳＲＴ１の開始ステップから入ってステップＳＰ１１へ移る。
【００２５】
ステップＳＰ１１においてＣＰＵ２０は、例えば図４（Ｂ）に示すように、ユーザに対して電子メールの本文を作成させるための本文作成画面６０を表示部７に表示し、ステップＳＰ１２へ移る。
【００２６】
ここで、この本文作成画面６０の背景色は白色となっている。また、この本文作成画面６０においては、文字明瞭表示ウインドウＷＮＤが表示されており、ＣＰＵ２０は、この文字明瞭表示ウインドウＷＮＤの枠内に文字が存在することを認識すると、当該枠内に存在する文字を背景色から際立つ黒色で明瞭に表示するようになされている。
【００２７】
一方、ＣＰＵ２０は、この文字明瞭表示ウインドウＷＮＤの枠外を、文字を隠蔽して表示すべき領域（以下、これを隠蔽領域と呼ぶ）ＡＲとして認識するようになされている。
【００２８】
なお、図中においては、説明の便宜上、破線で囲むことにより隠蔽領域ＡＲを明示しているが、実際にはこの破線は存在しない。
【００２９】
ステップＳＰ１２においてＣＰＵ２０は、文字明瞭表示ウインドウＷＮＤのサイズを変更するためのウインドウサイズ変更処理を実行開始し、例えば、このときユーザによって右方向キー１２又は左方向キー１１が押下操作されると、図４（Ｃ）に示すように、これに応じて文字明瞭表示ウインドウＷＮＤの横幅を拡大又は縮小し、またユーザによってジョグダイヤル１０が下方向又は上方向に回転操作されると、これに応じて文字明瞭表示ウインドウＷＮＤの縦幅を拡大又は縮小するようになされている。そして、ユーザによって操作部２６を介して所定操作が行われたとき、このウインドウサイズ変更処理を終了して、ステップＳＰ１３へ移る。
【００３０】
ステップＳＰ１３においてＣＰＵ２０は、例えば、ユーザによって操作部２６を介して複数の文字「ゆきが」がひらがなで入力されると、例えば図６（Ａ）に示すように、漢字変換確定前であることを示すための下線ＵＬと合わせて当該入力された複数の文字「ゆきが」を文字明瞭表示ウインドウＷＮＤの枠内に表示し、これにより当該複数の文字「ゆきが」を黒色で明瞭に表示して、ステップＳＰ１４へ移る。
【００３１】
このようにＣＰＵ２０は、文字明瞭表示ウインドウＷＮＤによって、漢字変換される前の文字（この場合、「ゆきが」）を指定するようになされており、これにより当該漢字変換前の文字が表示部７に対して黒色で明瞭に表示される。
【００３２】
ステップＳＰ１４においてＣＰＵ２０は、例えば、ユーザによって操作部２６を介して漢字変換するための漢字変換操作が行われると、例えば図６（Ｂ）に示すように、ひらがなによる複数の文字「ゆきが」の１つ目の漢字変換候補として例えば「由紀が」を文字明瞭表示ウインドウＷＮＤ中に表示し、ステップＳＰ１５へ移る。
【００３３】
このようにＣＰＵ２０は、文字明瞭表示ウインドウＷＮＤによって、漢字変換中の文字（この場合、「由紀が」）を指定するようになされており、これにより当該漢字変換中の文字が表示部７に対して黒色で明瞭に表示される。
【００３４】
ステップＳＰ１５においてＣＰＵ２０は、例えば、ユーザによって操作部２６を介して上述の漢字変換操作が再度行われた結果、例えば図６（Ｃ）に示すように、複数の文字「ゆきが」の２つ目の漢字変換候補として「雪が」が文字明瞭表示ウインドウＷＮＤの枠内に表示された状態で、操作部２６を介して当該漢字変換を確定するための漢字変換確定操作が行われると、例えば図７（Ａ）に示すように、これまで表示していた下線ＵＬを表示中止とすると共に、漢字変換が確定した複数の文字「雪が」の後方へ文字明瞭表示ウインドウＷＮＤを移動させることにより、当該複数の文字「雪が」を文字明瞭表示ウインドウＷＮＤの枠外（つまり、隠蔽領域ＡＲ）に位置させて、ステップＳＰ１６へ移る。
【００３５】
このときＣＰＵ２０は、この隠蔽領域ＡＲに存在することとなった漢字変換確定後の複数の文字「雪が」の文字色を本文作成画面６０の背景色（すなわち、白色）と近似した色（例えば、薄い灰色）に変更することにより、当該漢字変換確定後の複数の文字「雪が」を容易に視認させ得ない状態とする、すなわち当該漢字変換確定後の複数の文字「雪が」を隠蔽して表示するようになされている。
【００３６】
ステップＳＰ１６においてＣＰＵ２０は、電子メールの本文の作成を終了するための終了操作が行われたか否かを判断し、ここで否定結果が得られると、例えば、このことはユーザによって操作部２６を介して引き続き文字が入力されることを意味しており、このとき上述のステップＳＰ１３へ移る。
【００３７】
２度目のステップＳＰ１３においてＣＰＵ２０は、例えば、ユーザによって操作部２６を介して複数の文字「ふっていた」がひらがなで入力されると、例えば図７（Ｂ）に示すように、下線ＵＬと合わせて当該入力された複数の文字「ふっていた」を文字明瞭表示ウインドウＷＮＤの枠内に表示し、これにより当該複数の文字「ふっていた」を黒色で明瞭に表示して、ステップＳＰ１４へ移る。
【００３８】
２度目のステップＳＰ１４においてＣＰＵ２０は、例えば、ユーザによって操作部２６を介して漢字変換するための漢字変換操作が行われると、例えば図７（Ｃ）に示すように、ひらがなによる複数の文字「ふっていた」の１つ目の漢字変換候補として例えば「振っていた」を文字明瞭表示ウインドウＷＮＤ中に表示し、ステップＳＰ１５へ移る。
【００３９】
このとき、当該漢字変換中である複数の文字「振っていた」が表示部７に対して黒色で明瞭に表示されるようになされている。
【００４０】
２度目のステップＳＰ１５においてＣＰＵ２０は、例えば、ユーザによって操作部２６を介し上述の漢字変換操作が再度行われた結果、例えば図８（Ａ）に示すように、複数の文字「ふっていた」の２つ目の漢字変換候補として「降っていた」が文字明瞭表示ウインドウＷＮＤの枠内に表示された状態で、操作部２６を介し当該漢字変換を確定するための漢字変換確定操作が行われると、例えば図８（Ｂ）に示すように、これまで表示していた下線ＵＬを表示中止とすると共に、漢字変換が確定した複数の文字「降っていた」の後方へ文字明瞭表示ウインドウＷＮＤを移動させることにより、当該複数の文字「降っていた」を隠蔽領域ＡＲに位置させるようにして、ステップＳＰ１６へ移る。
【００４１】
このときＣＰＵ２０は、本文作成画面６０の背景色と近似した文字色によってかかる漢字変換確定後の複数の文字「降っていた」を表示部７に対して表示することにより、当該漢字変換確定後の複数の文字「降っていた」を隠蔽するようになされている。
【００４２】
２度目のステップＳＰ１６においてＣＰＵ２０は、電子メールの本文の作成を終了するための終了操作が行われたか否かを判断し、ここで肯定結果が得られると、例えば、このことは電子メールの本文作成作業が終了したことを意味しており、このとき電子メール作成処理手順ＲＴ１（図３）のステップＳＰ４へ移って電子メール作成処理手順を終了する。
【００４３】
このようにしてＣＰＵ２０は、例えば図７（Ａ）〜（Ｃ）に示すように、既に漢字変換確定されている複数の文字「雪が」を文字明瞭表示ウインドウＷＮＤの指定から外し、漢字変換前の複数の文字「ふっていた」や漢字変換中の複数の文字「振っていた」を文字明瞭表示ウインドウＷＮＤによって指定する。これにより、既に漢字変換確定されている複数の文字「雪が」は表示部７に隠蔽して表示され、これに対して漢字変換前の複数の文字「ふっていた」や漢字変換中の複数の文字「振っていた」は表示部７に明瞭に表示されるようになされている。
【００４４】
かくするにつき、例えば電子メールの本文を作成しているユーザ以外の他者によって、例えば図７（Ａ）〜（Ｃ）に示すような状態でなる本文作成画面６０が覗き見されたとしても、当該本文の文意（すなわち、「雪が降っていた」）が容易に推測されてしまう又は把握されてしまうことを確実に防止し得るようになされている。
【００４５】
（３）受信メール表示処理
一方、ＣＰＵ２０は、例えば、ユーザによって操作部２６を介して受信メールの本文を表示部７に表示させるための本文表示操作が行われると、電子メール処理部２５を制御して受信メール表示処理を実行するようになされている。すなわちＣＰＵ２０は、例えば図９に示す受信メール表示処理手順ＲＴ２の開始ステップから入ってステップＳＰ２１へ移る。
【００４６】
ステップＳＰ２１においてＣＰＵ２０は、例えば、ユーザによって操作部２６を介して上述の本文表示操作がおこなわれると、例えば図１０（Ａ）に示すような、シークレットモード選択画面５０Ｂを表示して、ステップＳＰ２２へ移る。
【００４７】
ステップＳＰ２２においてＣＰＵ２０は、ユーザによって操作部２６を介してシークレットモード選択画面５０Ｂ中の選択カーソル５１が操作されることにより、当該選択カーソル５１によって選択項目「ＹＥＳ」が選択決定されたか否かを判断する。
【００４８】
このステップＳＰ２２において否定結果が得られると、例えば、このことはユーザによってシークレットモード選択画面５０Ｂ中の選択項目「ＮＯ」が選択された、すなわち秘匿性の高い状態で受信メールの本文を表示させる意思がユーザに無いことを意味しており、このときＣＰＵ２０は、ステップＳＰ２３へ移って通常モードによる本文表示処理を実行することにより、秘匿性の低い状態で電子メールの本文を表示部７に対して表示する。
【００４９】
これに対してステップＳＰ２２において肯定結果が得られると、例えば、このことは秘匿性の高い状態で受信メールの本文を表示させる意思がユーザにあることを意味しており、このときＣＰＵ２０は、サブルーチンＳＲＴ２へ移ってシークレットモードによる本文表示処理を実行する。
【００５０】
すなわちＣＰＵ２０は、図１１に示すシークレットモードによる本文表示処理手順ＳＲＴ２の開始ステップから入ってステップＳＰ３１へ移る。
【００５１】
ステップＳＰ３１においてＣＰＵ２０は、例えば図１０（Ｂ）に示すように、受信メールの本文を表示するための本文表示画面７０を表示部７に対し表示して、ステップＳＰ３２へ移る。
【００５２】
ここで、本文表示画面７０の背景色は白色となっている。また、この本文表示画面７０においては、文字明瞭表示ウインドウＷＮＤが表示されており、ＣＰＵ２０は、この文字明瞭表示ウインドウＷＮＤの枠内に存在する本文中の複数の文字「おはよう！今」を背景色から際立つ黒色で明瞭に表示するようになされている。
【００５３】
一方、ＣＰＵ２０は、この文字明瞭表示ウインドウＷＮＤの枠外を、文字を隠蔽して表示すべき隠蔽領域ＡＲとして認識するようになされており、当該隠蔽領域ＡＲ内に存在する本文中の全ての文字を背景色に近似した文字色（例えば、薄い灰色）で表示するようになされている。
【００５４】
ステップＳＰ３２においてＣＰＵ２０は、上述のウインドウサイズ変更処理を実行開始するようになされており、例えば図１０（Ｃ）に示すように、ユーザによる右方向キー１２の操作に応じて文字明瞭表示ウインドウＷＮＤの横幅を拡大した後、ステップＳＰ３３へ移る。
【００５５】
ステップＳＰ３３においてＣＰＵ２０は、例えば、ユーザによってジョグダイヤル１０が下方向へ所定量だけ回転操作されると、例えば図１２に示すように、これに応じて本文表示画面７０中の文字明瞭表示ウインドウＷＮＤを１行下へ移動させることにより、当該文字明瞭表示ウインドウＷＮＤによって複数の文字「天気ですね」が新たに指定された状態とし、これに伴って当該新たに指定された複数の文字「天気ですね」を黒色で明瞭に表示すると共に、文字明瞭表示ウインドウＷＮＤによる指定から外れた複数の文字「おはよう！今日もいい」を本文表示画面７０の背景色と近似した文字色に変更し、ステップＳＰ３４へ移る。
【００５６】
ステップＳＰ３４においてＣＰＵ２０は、受信メールの本文の表示を終了するための終了操作が行われたか否かを判断し、ここで否定結果が得られると、例えば、このことはユーザによって引き続き受信メールの本文の読解が行われることを意味しており、このとき上述のステップＳＰ３３へ移る。
【００５７】
２度目のステップＳＰ３３においてＣＰＵ２０は、例えば、ユーザによってジョグダイヤル１０が上方向へ所定量だけ回転操作されると、図１０（Ｃ）に示すように、これに応じて本文表示画面７０中の文字明瞭表示ウインドウＷＮＤを１行上へ移動させることにより、当該文字明瞭表示ウインドウＷＮＤによって複数の文字「おはよう！今日もいい」が再度指定された状態とし、これに伴って当該再度指定された複数の文字「おはよう！今日もいい」を黒色で明瞭に表示すると共に、文字明瞭表示ウインドウＷＮＤによる指定から外れた複数の文字「天気ですね」を本文表示画面７０の背景色と近似した文字色に変更し、ステップＳＰ３４へ移る。
【００５８】
このようにＣＰＵ２０は、文字明瞭表示ウインドウＷＮＤによって指定されている複数の文字（例えば、「おはよう！今日もいい」）を表示部７に対して黒色で明瞭に表示し、一方、このとき文字明瞭表示ウインドウＷＮＤによって指定されていない本文中の全ての文字を隠蔽して表示するようになされている。
【００５９】
２度目のステップＳＰ３４においてＣＰＵ２０は、受信メールの本文の表示を終了するための終了操作が行われたか否かを判断し、ここで肯定結果が得られると、例えば、このことは受信メールの本文の読解が終了したことを意味しており、このとき受信メール表示処理手順ＲＴ２（図９）のステップＳＰ２４へ移って受信メール表示処理を終了する。
【００６０】
（４）動作及び効果
以上の構成において、携帯電話機１は、ユーザによって作成中である電子メールの本文を表示する際、当該本文を構成する複数の文字のうち、漢字変換前及び漢字変換中である文字（例えば、「ふっていた」や「振っていた」（図７））を表示部７に対して明瞭に表示する。
【００６１】
これにより、電子メールの本文を作成しているユーザは、表示部７を目視することにより操作部２６を介して入力した文字を確実に確認することができる。
【００６２】
一方、このとき携帯電話機１は、既に漢字変換確定されている全ての文字（例えば、「雪が」（図７））、すなわち漢字変換前及び漢字変換中ではない本文中の全ての文字を表示部７に対して隠蔽して表示する。
【００６３】
これにより、電子メールの本文を作成しているユーザ以外の他者によって表示部７が覗き見されたとしても、この電子メールの本文における全ての文字が明瞭に表示されていないことにより、当該本文全体の文意（この場合、「雪が降っていた」）が容易に推測されてしまう又は把握されてしまうことを格段と確実に防止することができる。
【００６４】
また、携帯電話機１は、受信メールの本文を表示部７に対して表示する際、例えば図１２に示すように、当該本文を構成する複数の文字のうち、文字明瞭表示ウインドウＷＮＤによって指定された文字（例えば、この場合「天気ですね」）を表示部７に対して明瞭に表示する。
【００６５】
これにより、受信メールの本文を読解している携帯電話機１のユーザは、ジョグダイヤル１０を介して本文表示画面７０中の文字明瞭表示ウインドウＷＮＤを適宜移動させることにより、当該受信メールの本文全体の内容を把握することができる。
【００６６】
一方、このとき携帯電話機１は、文字明瞭表示ウインドウＷＮＤによって指定されていない本文中の全ての文字を表示部７に対して隠蔽して表示する。
【００６７】
これにより、受信メールの本文を読解しているユーザ以外の他者によって表示部７が覗き見されたとしても、この受信メールの本文における全ての文字が明瞭に表示されていないことにより、当該本文全体の文意が容易に推測されてしまう又は把握されてしまうことを格段と確実に防止することができる。
【００６８】
ところで、この携帯電話機１においては、文字明瞭表示ウインドウＷＮＤによって指定されていない本文中の全ての文字を表示部７に対して全く表示しないのではなく、当該指定されていない本文中の全ての文字を隠蔽した状態で表示するようにした（例えば、図１２参照）。これにより、文字明瞭表示ウインドウＷＮＤを適宜移動させて当該本文を読んでいるユーザは、受信メールの本文全体におけるどの位置の文字を読解しているのか常に把握することができるので、当該本文を思い通りに且つ効率良く読むことができる。
【００６９】
以上の構成によれば、電子メールの本文を構成する複数の文字のうち、文字明瞭表示ウインドウＷＮＤによって指定されている一部の文字のみを明瞭に表示して残りの文字を隠蔽して表示するようにしたことにより、携帯電話機１を操作しているユーザ以外の他者によって表示部７が覗き見されたとしても、当該本文の内容が容易に推測されてしまう又は把握されてしまうことを格段と確実に防止することができる。
【００７０】
この結果、携帯電話機１のユーザは、電子メールの本文の内容が周囲の他者へ漏洩してしまうのではないかという不安を感じることなく、当該本文を読んだり作成したりすることができる。
【００７１】
なお本実施の形態における携帯電話機１においては、従来のような視野角を狭くするための偏光板を表示部７に装着する必要がないことにより、秘匿性を向上させて文章を表示し得る携帯電話機１を簡易な構成で実現することができる。
【００７２】
また本実施の形態における携帯電話機１においては、ウインドウサイズ変更処理を実行することにより、文字明瞭表示ウインドウＷＮＤのサイズをユーザ任意のサイズに変更し得るようにした。これによりユーザは、表示部７に対して明瞭に表示する文字の文字数を増加又は減少させることができるので、例えば、読み易さを重視して当該明瞭に表示する文字の文字数を増加させたり、又は秘匿性のレベルを高くすることを目的として当該明瞭に表示する文字の文字数を減少させたりすることができる。この結果、秘匿性を向上させて電子メールの本文を表示し得る携帯電話機１の使い勝手を格段と向上させることができる。
【００７３】
さらに本実施の形態における携帯電話機１においては、受信メールの本文を表示する本文表示処理時、ジョグダイヤル１０に対して上方向又は下方向の回転操作が行われると、当該回転操作に対応させて文字明瞭表示ウインドウＷＮＤを上方向又は下方向へ移動させるようにした。これによりユーザは、本文表示画面７０中の文字明瞭表示ウインドウＷＮＤを直感的に移動させることができるので、容易且つ快適に電子メールの本文を読むことができる。
【００７４】
（５）他の実施の形態
なお上述の実施の形態においては、ユーザによって作成中の電子メールの本文を表示部７に対して表示する場合や、受信メールの本文を表示部７に対して表示する場合について述べたが、本発明はこれに限らず、例えば、Ｗｅｂページを閲覧させるためのＷｅｂブラウジング機能を有する携帯電話機において、Ｗｅｂページに記載されている文章を表示部に対して表示する場合、また、メモを入力させるためのメモ帳機能を有する携帯電話機において、ユーザにより操作部を介して入力されたメモを表示部に対して表示する場合等、この他種々の文章を表示部に対して表示する場合に適用するようにしても良い。
【００７５】
また上述の実施の形態においては、電子メールの本文を構成する複数の文字のうち、文字明瞭表示ウインドウＷＮＤによって指定されていない文字を、本文作成画面６０（又は本文表示画面７０）の背景色（例えば、白色）と近似した文字色（例えば、薄い灰色）によって表示することにより、当該指定されていない文字を隠蔽する場合について述べたが、本発明はこれに限らず、例えば、文字明瞭表示ウインドウＷＮＤによって指定されていない文字を、本文作成画面６０（又は本文表示画面７０）の背景色と同じ文字色（この場合、白色）によって隠蔽表示したり、また、例えば図１３（Ａ）に示すように、文字明瞭表示ウインドウＷＮＤによって指定されていない文字を、例えば「＊」等の記号／その他の文字によって置き換えて隠蔽表示するようにしても良い。この場合、文字明瞭表示ウインドウＷＮＤによって指定されていない文字は視認されることがないので、格段と秘匿性を向上させることができる。
【００７６】
加えて、本発明はこれに限らず、例えば図１３（Ｂ）に示すように、電子メールの本文が作成される場合において、漢字変換が確定された漢字変換確定後の文字群ＧＲＰ１を本文作成画面６０の画面外にスクロールアウトし、漢字変換確定前の文字群ＧＲＰ２のみを本文作成画面６０に対して明瞭に表示するようにしても良い。この場合、漢字変換確定後の文字群ＧＲＰ１は本文作成画面６０に表示されない、すなわち完全に隠蔽されるので、格段と秘匿性を向上させることができる。
【００７７】
さらに、本発明はこれに限らず、例えば図１４に示すように、電子メールの本文を構成する複数の文字のうち、文字明瞭表示ウインドウＷＮＤによって指定されていない文字群ＧＲＰ３（図１４（Ａ））が表す文意（すなわち、「おはよう！今日もいい天気ですね」という意、及び「なので」という意）と異なる文意（例えば、「新潟県柏崎市に里帰りした両親への親孝行を」という意、及び「思い出を」という意）を表す文字群ＧＲＰ４（図１４（Ｂ））によって、当該文字群ＧＰＲ３を置き換えて隠蔽するようにしても良い。この場合、ユーザ以外の他者によって、図１４（Ｂ）に示す本文表示画面７０が覗き見されたとしても、本当の電子メールの本文の内容が理解されることはなく、この結果、格段と秘匿性を向上させることができる。またこのとき、当該他者に対して本来の文字群ＧＲＰ３ではなく文字群ＧＲＰ４を読ませることにより、あたかも覗き見みが成功しているかのような印象を与えることができる。これにより、シークレットモードによって電子メールが表示されていることを気付かせないようにすることができるので、当該他者から余計な注目を受けてしまうことを防止することができる。
【００７８】
さらに上述の実施の形態においては、複数の文字からなる文章（つまり、電子メールの本文）が日本語によって記述されている場合について述べたが、本発明はこれに限らず、他の言語や記号等であっても良い。
【００７９】
さらに上述の実施の形態においては、電子メールの文章を構成する複数の文字のうち、漢字変換される前の文字及び漢字変換中の文字を明瞭に表示して、漢字変換確定後の文字を隠蔽する場合について述べたが、本発明はこれに限らず、例えば、ひらがなからカタカナへ文字変換する場合や大文字から小文字へ文字変換する場合等、この他種々の文字変換を行う場合において、電子メールの文章を構成する複数の文字のうち、文字変換される前の文字及び文字変換中の文字を明瞭に表示して、文字変換確定後の文字を隠蔽するようにしても良い。
【００８０】
さらに上述の実施の形態においては、受信メールの本文を表示部７に対して表示している際、ジョグダイヤル１０に対する上下方向の回転操作に応じて、本文表示画面７０中の文字明瞭表示ウインドウＷＮＤが上下方向に移動する場合について述べたが、本発明はこれに限らず、例えば、図１５（Ａ）に示すように、文字明瞭表示ウインドウＷＮＤを本文表示画面７０の所定位置（この場合、画面中央部）に固定表示するようにし、図１５（Ｂ）に示すように、ジョグダイヤル１０が下方向に回転操作されたとき、これに応じて電子メールの本文自体を下方向へスクロールさせるようにする等、文字明瞭表示ウインドウＷＮＤを固定表示して電子メールの本文をスクロールさせるようにしても良い。この場合、電子メールの本文を読解しているユーザは、視点を一点（すなわち、文字明瞭表示ウインドウＷＮＤが固定表示されている本文表示画面７０の画面中央部）に集中すればよいので、眼の疲れを感じることなく快適に本文を読むことができる。
【００８１】
さらに上述の実施の形態においては、複数の文字からなる文章を表示する文章表示装置として、携帯電話機１を適用する場合について述べたが、本発明はこれに限らず、電子メールの本文等の種々の文章を表示することができれば、パーソナルコンピュータやＰＤＡ（Ｐｅｒｓｏｎａｌ  Ｄｉｇｉｔａｌ  Ａｓｓｉｓｔａｎｃｅ）等を適用するようにしても良い。
【００８２】
さらに上述の実施の形態においては、文章における複数の文字の中から一部の文字を指定文字として指定する指定手段、指定文字を表示手段に対して表示し、文章における当該指定文字以外の文字を指定外文字として全て隠蔽する制御手段として、電子メール処理部２５を制御することによりシークレットモードによる本文作成処理手順ＳＲＴ１及びシークレットモードによる本文表示処理手順ＳＲＴ２を実行するＣＰＵ２０を適用する場合について述べたが、本発明はこれに限らず、例えば、ＭＰＵ（Ｍｉｃｒｏ  Ｐｒｏｃｅｓｓｏｒ  Ｕｎｉｔ）等を指定手段及び制御手段として適用するようにしても良い。
【００８３】
さらに上述の実施の形態においては、表示手段として、液晶ディスプレイでなる表示部７を適用する場合について述べたが、本発明はこれに限らず、例えば、ＣＲＴ（Ｃａｔｈｏｄｅ  Ｒａｙ  Ｔｕｂｅ）ディスプレイ等を適用するようにしても良い。
【００８４】
さらに上述の実施の形態においては、文章における複数の文字の中から一部の文字を指し示すための操作手段として、ジョグダイヤル１０等からなる操作部２６を適用する場合について述べたが、本発明はこれに限らず、例えば、タッチパッド等を適用するようにしても良い。
【００８５】
さらに上述の実施の形態においては、ＣＰＵ２０が電子メール処理部２５を制御することにより、シークレットモードによる本文作成処理手順ＳＲＴ１及びシークレットモードによる本文表示処理手順ＳＲＴ２を実行する場合について述べたが、本発明はこれに限らず、例えば、携帯電話機１に対して文章表示プログラムとしての所定のアプリケーションプログラムを予めインストールしておくことにより、当該シークレットモードによる本文作成処理手順ＳＲＴ１及びシークレットモードによる本文表示処理手順ＳＲＴ２をソフトウェア的に実行するようにしても良い。
【００８６】
【発明の効果】
上述のように本発明によれば、文章を構成する複数の文字のうち一部を除く全ての文字を隠蔽するようにしたことにより、当該文章全体の内容が容易に把握されてしまうことを防止することができる。
【図面の簡単な説明】
【図１】本実施の形態における携帯電話機の外観構成を示す略線図である。
【図２】携帯電話機の回路構成を示す略線図である。
【図３】電子メール作成処理手順を示すフローチャートである。
【図４】表示される画面の様子（１）を示す略線図である。
【図５】シークレットモードによる本文作成処理手順を示すフローチャートである。
【図６】表示される画面の様子（２）を示す略線図である。
【図７】表示される画面の様子（３）を示す略線図である。
【図８】表示される画面の様子（４）を示す略線図である。
【図９】受信メール表示処理手順を示すフローチャートである。
【図１０】表示される画面の様子（５）を示す略線図である。
【図１１】シークレットモードによる本文表示処理手順を示すフローチャートである。
【図１２】表示される画面の様子（６）を示す略線図である。
【図１３】他の実施の形態（１）を示す略線図である。
【図１４】他の実施の形態（２）を示す略線図である。
【図１５】他の実施の形態（３）を示す略線図である。
【符号の説明】
１……携帯電話機、７……表示部、２０……ＣＰＵ、２５……電子メール処理部、２６……操作部。
【図１】
2004252773.tif 000003
【図２】
2004252773.tif 000004
【図３】
2004252773.tif 000005
【図４】
2004252773.tif 000006
【図５】
2004252773.tif 000007
【図６】
2004252773.tif 000008
【図７】
2004252773.tif 000009
【図８】
2004252773.tif 000010
【図９】
2004252773.tif 000011
【図１０】
2004252773.tif 000012
【図１１】
2004252773.tif 000013
【図１２】
2004252773.tif 000014
【図１３】
2004252773.tif 000015
【図１４】
2004252773.tif 000016
【図１５】
2004252773.tif 000017